(57)【要約】【課題】電子アルバムで結婚式などの複数の画像を見るにはフォルダ、ファイルを覚えていなければ、即座に見ることが出来ない。ましてやその結婚式を親戚、知人などにみてもらうにはフォルダ名を紹介し、覚えてもらう必要があった。【解決手段】複数の画像に同一イベントの画像に対して同一の識別コードを付与し、前記画像と前記識別コードを付加してプリントする画像合成を行い、前記プリントされた前記識別コードを通信機能付きカメラで像として取り込み、インターネットに接続し、その識別コードを持つ前記複数の画像を色調、濃度を同じようになるように表示且つプリントし、さらにプリント時に同一のメッセージ、タイトル等の言語を付与する。【選択図】  図１
2008217495.tif 000002
【特許請求の範囲】
【請求項１】
所定のイベントの画像に対して同一の識別コードを付与する手段と、前記付与された画像を表示する表示条件を略同一にして表示する手段とを備えた画像表示装置。
【請求項２】
前記識別記号はバーコード、二次元コード、カラーコード等のコード情報である請求項１に記載の画像表示装置。
【請求項３】
所定のイベントの画像に対して同一の識別コードを付与する手段と、前記画像を前記識別コードと共にプリントし、プリント時にカラーバランス、プリント濃度等プリント条件を略同一にしてプリントするプリント手段を備えたプリント装置。
【請求項４】
前記識別記号はバーコード、二次元コード、カラーコード等のコード情報である請求項３に記載のプリント装置。
【請求項５】
所定のイベントの画像に対して識別コードを付与する手段と、前記画像を前記識別コードと共にプリントし、プリント時に所定のあらかじめ選択したメッセージ、タイトル等の言語を付加してプリントするプリント手段を備えたプリント装置。
【請求項６】
前記識別記号はバーコード、二次元コード、カラーコード等のコード情報である請求項５に記載のプリント装置。
【請求項７】
前記言語は前記識別記号から生成される請求項５乃至は６に記載のプリント装置。
【請求項８】
所定のイベントの画像に対して同一の識別コードを付与する手段と、前記画像を前記識別コードと共にプリントするプリント手段と、前記プリントされた前記識別コードを通信機能付きカメラで像として取り込み、インターネットに接続する手段と、前記画像を表示する表示手段を備えた画像閲覧システム。
【請求項９】
前記識別記号はバーコード、二次元コード、カラーコード等のコード情報である請求項８に記載の画像閲覧システム。
【発明の詳細な説明】
【技術分野】
【０００１】
本発明は、例えば年賀状、結婚式の撮影等の画像を他の画像と識別して撮像し、または撮像された画像を表示装置で観察して識別記号を付与し、画像のプリント時に付与した識別記号をプリントする装置及び付与された識別記号のもつ画像を一覧表示可能な閲覧システムに関する。
【背景技術】
【０００２】
一般に、デジタルカメラなどの撮像機器で撮影した複数の画像をパーソナルコンピュータ等に保存して管理する際には、あるまとまりごとにフォルダ（グループ）に分類し管理が行なわれる。具体的には、パーソナルコンピュータ上で新規フォルダを作成し、そのフォルダのフォルダ名を決めて入力し、そのフォルダに画像を格納するといった手順で行なわれている。ここで決定されるフォルダ名は、そのフォルダに格納される複数の画像に共通したものが望ましい。適切なフォルダ名を付けることで、後日、所望の画像
の検索、閲覧等が容易となるからである。
【０００３】
従来から、こうした複数の画像の管理、特に、適切なフォルダ名の付与を、手動作業を伴うことなく自動的に実行する種々の技術が検討されている。例えば、下記特許文献１には、画像に付与された位置情報を用いて複数の撮影画像をグループに分け、グループの代表画像を選定し、その代表画像に付与された場所に関する名称をフォルダ名として決定する技術が開示されている。かかる画像管理の技術によれば、撮影位置に対応する名称をフォルダ名とするので、撮影場所に適したわかり易いフォルダ名を付与することができるとされている。
【０００４】
【特許文献１】特開２００５−９４８１０号公報
【発明の開示】
【発明が解決しようとする課題】
【０００５】
しかしながら、かかる画像管理の技術では、適切な名称をフォルダ名として付与することが困難であった。例えば、画像を撮影した位置や場所に関する名称には、国、県、市、町、または、名所など、異なる観点から付与される複数の名称が存在する。したがって、単に一の画像に付与されていた場所の名称をフォルダ名としても、フォルダ内の画像に共通した適切なフォルダ名とはならなかった。
【０００６】
さらには、撮影画像が、結婚式や運動会などの特定のイベント、花や動物などの特定の被写体である場合にも、上記の画像管理技術では、撮影場所の名称がフォルダ名として設定されてしまうことが考えられ、適切なフォルダ名の付与が困難であった。
【０００７】
また、結婚式や運動会などの特定のイベントの画像を知人、親戚に見てもらうにはインターネットで閲覧可能な電子アルバム上のフォルダ名やＵＲＬ（ＵＮＩＦＯＲＭ  ＲＥＳＯＵＲＣＥ  ＬＯＣＡＴＯＲ）を伝えなくてはならない。その受取ったフォルダ名を覚えておくことやＵＲＬを保存することも面倒であり、忘れてしまい画像をみることができないことが多々あった。
【０００８】
本発明は、適切な管理名称の付与が困難であるといった問題を踏まえ、フォルダ名を使わずに適切な画像管理を行う装置を提供することを目的とする。
【課題を解決するための手段】
【０００９】
本発明の請求項１及び請求項１に従属する請求項２は所定のイベントの画像に対して同一の識別コードを付与する手段と、前記付与された画像を表示する表示条件を略同一にして表示する手段とを備え、前記識別記号はバーコード、二次元コード、カラーコード等のコード情報である画像表示装置を提供するものである。
【００１０】
本発明の請求項３及び請求項３に従属する請求項４は所定のイベントの画像に対して同一の識別コードを付与する手段と、前記画像を前記識別コードと共にプリントし、プリント時にカラーバランス、プリント濃度等プリント条件を略同一にしてプリントし、前記識別記号はバーコード、二次元コード、カラーコード等のコード情報であるプリント装置を提供するものである。
【００１１】
本発明の請求項５及び請求項５に従属する請求項６及び請求項５、６に従属する請求項７は所定のイベントの画像に対して識別コードを付与する手段と、前記画像を前記識別コードと共にプリントし、プリント時に所定のあらかじめ選択したメッセージ、タイトル等の言語を付加してプリントするプリント手段を備え、前記識別記号はバーコード、二次元コード、カラーコード等のコード情報であり、さらに前記言語は前記識別コードから生成されるプリント装置を提供するものである。
【００１２】
本発明の請求項８及び請求項８に従属する請求項９は所定のイベントの画像に対して同一の識別コードを付与する手段と、前記画像を前記識別コードと共にプリントするプリント手段と、前記プリントされた前記識別コードを通信機能付きカメラで像として取り込み、インターネットに接続する手段と、前記画像を表示する表示手段を備えた画像閲覧システムを備え、前記識別記号はバーコード、二次元コード、カラーコード等のコード情報である画像閲覧システムを提供するものである。
【発明の効果】
【００１３】
例えば、結婚式の写真では式場内の写真では、同一場所における色調、濃度を略同一にするので、同じ色調でディスプレイを見ることが出来る。最近、静止画を動画のごとく連続してみせる技術があるが、そのとき本発明のように色調、濃度を略同一にするので美的に違和感なく鑑賞ことができる。
【００１４】
さらに略同一の色調、濃度でプリントするので画像として連続性に写真を見ても違和感なく鑑賞することができる。
【００１５】
また、写真にメッセージ等、例えば結婚式なら、結婚式の報告、結婚式の式場等を言語でプリントするのでプリントしたい時にどの画像を選んでも所定のあらかじめ選択した言語を付加することができるので記念写真としても好都合である。
【００１６】
上述したように本発明の画像閲覧システムは、フォルダ名を覚えていなくても写真に撮影された識別コード、例えば二次元コードを通信機能付きカメラで像を取り込み、インターネットに接続して、ホームページに接続して結婚式の写真、運動会のような同一イベントの画像を閲覧することができる。またこの二次元コード付き写真をプリントしていろいろなところに配布すれば多くの人がホームページを通して結婚式の写真、運動会の写真を閲覧できる。
【発明を実施するための最良の形態】
【００１７】
以下、本発明の実施の形態を図１〜図６に基づいて説明する。
【００１８】
図１は、本発明の概略構成を示す。１はクライアント端末、２は不図示のネットワークで繋がれた電子アルバム、３は制御装置、４はプリントシステム、５はプリントした写真を示す。６は電子アルバム２から分類された特定のイベントである識別コード、例えば「Ｔ氏の結婚式の画像」を抽出し、６で示す識別記号、例えば二次元コードを付与する。
【００１９】
図２は図１で抽出された５をプリントした写真７は例えば「Ｔ氏の結婚式の写真」を示す。写真７を受取った、例えば親戚の人は、同時にプリントされた識別記号、例えば二次元コード６を８で示す通信機能付きカメラで撮影してインターネットに接続すると、ホームページ９が前記カメラのディスプレイに表示される。１０は電子アルバム１から抽出された、同一識別記号を持つ、「Ｔ氏の結婚式の写真」であり、ここでは４駒の画像を示す。１１は画像のプリントを行う以下に示すプリントステーション１２のＵＲＬ（ＵＮＩＦＯＲＭ  ＲＥＳＯＵＲＣＥ  ＬＯＣＡＴＯＲ）を示し、ここをクリックするとプリントステーション１２のホームページに接続され、プリントを依頼することができる。１３は制御装置を示し、図４〜６のフローで示すように、プリントの制御、表示の制御を行う。
【００２０】
図３は、二次元コード２１を通信機能付きカメラ８で撮影し、インターネット２２を介してホームページ９が前記通信機能付きカメラ８のディスプレイに表示される。
【００２１】
図４は、Ｓ１で示すように図１で示した電子アルバム１を開き、Ｓ２で示すように同一イベントの画像に同一の識別記号、例えば二次元コードを付与し、制御装置１３が動作してＳ３で示すように同一識別記号が付与された画像の色調、濃度を略同一に表示するフローチャートを示す。
【００２２】
図５はＳ４で通信機能付きカメラで、識別記号を撮影して、インターネットを介して通信し、ホームページを開く（Ｓ５）。識別記号を有する画像が表示され、Ｓ６で示すようにプリントしたい画像を選択し、制御装置１３が動作し、Ｓ７で示すようにプリント時に写真の色調、濃度が略同一になるようにプリントする。
【００２３】
図６はＳ８で通信機能付きカメラで、識別記号を撮影して、インターネットを介して通信し、ホームページを開く（Ｓ９）。Ｓ１０で示すように識別記号を有する複数の画像が表示される。Ｓ１１で示すようにプリントしたい画像にメッセージ、タイトルを選択し、プリントを行う。例えば結婚式の写真の場合には結婚式をあげた日付、結婚式場の会場、または「私たち結婚しました」のようなメッセージでもよい。また、メッセージ、タイトルは前記識別信号、例えば二次元コード信号に含み、それをデコードして言語としてプリントしてもよい。
【００２４】
上述したように本発明の画像閲覧システムは、フォルダ名を覚えていなくても写真に撮影された識別コード、例えば二次元コードを通信機能付きカメラで像を取り込み、インターネットに接続して、ホームページに接続して結婚式の写真、運動会のような同一イベントの画像を閲覧することができる。またこの二次元コード付き写真をプリントしていろいろなところに配布すれば多くの人がホームページを通して結婚式の写真、運動会の写真を閲覧できる。さらに、結婚式の写真では式場内の写真では、同一場所におけるカラーバランスを略同一にするので、同じ色調でディスプレイを見ることが出来、さらに同じ色調でプリントするので画像として連続性のある写真を提供することができる。昨今、静止画をつなげて連続的に見せる装置もあるが、そのような装置では特に画像の連続性が必要であり、色調、濃度が略同一であることが鑑賞に際していい画像を見ることができる。
また、写真にメッセージ、タイトル等、例えば結婚式なら、結婚式の報告、結婚式の式場等を言語でプリントするのでプリントしたい時にどの画像を選んでも所定のあらかじめ選択した言語を付加することができるので記念写真としても好都合である。
【図面の簡単な説明】
【００２５】
【図１】本発明に係るブロック図を示す。
【図２】本発明の実施形態を示すブロックダイアグラム
【図３】本発明の二次元コードを読み取る図
【図４】本発明の同一イベントの画像に同一識別記号を付与し、表示するフローチャート
【図５】本発明の同一イベントの画像をプリントするフローチャートを示す図
【図６】本発明の同一イベントの画像に同一メッセージ、タイトルを付与するフローチャートを示す図
【符号の説明】
【００２６】
１  クライアント端末
２  電子アルバム
３  制御装置
４  プリントシステム
５  プリントした写真
６  識別記号
７  写真
８  通信機能付きカメラ
９  ホームページ
１０  同一イベントの画像
１１  プリントステーションのＵＲＬ
１２  プリントステーション
１３  制御装置
２１  二次元コード
２２  インターネット
【図１】
2008217495.tif 000003
【図２】
2008217495.tif 000004
【図３】
2008217495.tif 000005
【図４】
2008217495.tif 000006
【図５】
2008217495.tif 000007
【図６】
2008217495.tif 000008